(57)【要約】【課題】  正確に毛先で「細かく小刻みに」磨く歯磨き方法について歯科医師や歯科衛生士などの歯科医療スタッフが患者や歯ブラシの使用が適切でない人々を正確且つ確実に指導でき、さらに、家庭や学校，職場などで各人が一人でも正しい歯磨きの練習が可能な歯磨き練習用歯ブラシの提供。【解決手段】所定部材で囲繞されることにより形成され所定長さを有するようにされている空間と、該空間の長手方向の両端部にそれぞれ配置された永久磁石部材と、空間内で前記長手方向に移動自在にして収納されている構成部材の少なくとも一部に永久磁石が前記永久磁石部材の磁力とは常に互いに反発するようにして配備されている移動体から成る振り子装置が、歯ブラシ柄部の長軸と略平行な方向に所定の長さで穿設されている空隙内に一体にして装着されるか、または、繋止部材を用いて歯ブラシ柄部に装着されることを特徴とする歯磨き練習用歯ブラシとする。【選択図】          図１
2005040618.tif 000002
【特許請求の範囲】
【請求項１】
所定部材（１）で囲繞されることにより形成され所定長さを有するようにされている空間（１ａ）と、この空間（１ａ）の長手方向の両端部（１ｂ，１ｂ）にそれぞれ配置された永久磁石部材（２，２）と、この空間（１ａ）内で前記長手方向に移動自在にして収納されている構成部材の少なくとも一部に永久磁石（３ａ）が前記永久磁石部材（２，２）の磁力とは常に互いに反発するようにして配備されている移動体（３）から成る振り子装置（Ｆ）が、歯ブラシ柄部（Ｈ）の長軸と略平行な方向に所定の長さで穿設されている空隙（Ｈａ）内に一体にして装着されるか、または、繋止部材（４）を用いて歯ブラシ柄部（Ｈ）に装着されることを特徴とする歯磨き練習用歯ブラシ。
【請求項２】
所定部材（１）が無色または有色の透明な素材で形成されている歯ブラシ柄部（Ｈ）であって、振り子装置（Ｆ）の空間（１ａ）が歯ブラシ柄部（Ｈ）と蓋体とにより形成されている振り子装置（Ｆ）である請求項１に記載の歯磨き練習用歯ブラシ。
【請求項３】
繋止部材（４）が環状のゴムバンドおよび／またはクリップ状の挟持具であって、この繋止部材（４）を用いることで振り子装置（Ｆ）が歯ブラシ柄部（Ｈ）に着脱自在にされている請求項１に記載の歯磨き練習用歯ブラシ。
【請求項４】
振り子装置（Ｆ）が歯ブラシ柄部（Ｈ）の長軸と略平行な方向に所定の長さで穿設されている空隙（Ｈａ）内に嵌入されることにより歯ブラシ柄部（Ｈ）と一体にして装着され且つ着脱自在にされている請求項１に記載の歯磨き練習用歯ブラシ。
【請求項５】
振り子装置（Ｆ）の空間（１ａ）内においてその長軸方向に略平行なガイド軸（１ｃ）が備えられていて、移動体（３）にはこのガイド軸（１ｃ）を貫通させるための通し穴（３ｂ）が穿設されている振り子装置（Ｆ）である請求項１ないし４の何れか一項に記載の歯磨き練習用歯ブラシ。
【請求項６】
所定部材（１）で囲繞されることにより形成され所定長さを有するようにされている空間（１ａ）と、この空間（１ａ）の長手方向の両端部（１ｂ，１ｂ）にそれぞれ配置された永久磁石部材（２，２）と、この空間（１ａ）内で前記長手方向に移動自在にして収納されている少なくとも構成部材の一部に永久磁石（３ａ）が前記永久磁石部材（２，２）の磁力とは常に互いに反発するようにして配備されている移動体（３）から成る振り子装置（Ｆ）と、前記所定部材（１）の外周に電線が巻き付けられてコイル（５）を成し、移動体（３）の前後動によりコイル（５）に生じた誘導電圧が表示装置（６）に伝えられ、表示装置（６）には伝えられた電圧の大きさ表示するための表示部（６ａ）を備えているようにして歯ブラシの動きを表示すべくシステム構成されていて、前記振り子装置（Ｆ）が歯ブラシ柄部（Ｈ）の長軸と略平行な方向に所定の長さで穿設されている空隙（Ｈａ）内に一体にして装着されるか、または繋止部材（４）を用いて歯ブラシ柄部（Ｈ）に装着されることを特徴とする歯磨き練習用歯ブラシ。
【請求項７】
繋止部材（４）が環状のゴムバンドおよび／またはクリップ状の挟持具であって、この繋止部材（４）を用いることで振り子装置（Ｆ）が歯ブラシ柄部（Ｈ）に着脱自在にされている請求項６に記載の歯磨き練習用歯ブラシ。
【請求項８】
振り子装置（Ｆ）の空間（１ａ）内において、その長軸方向に略平行にしてガイド軸（１ｃ）が備えられていて、移動体（３）にはこのガイド軸（１ｃ）を貫通させるための通し穴（３ｂ）が穿設されている振り子装置（Ｆ）である請求項６または７に記載の歯磨き練習用歯ブラシ。
【発明の詳細な説明】
【技術分野】
【０００１】  本発明は、正しい歯ブラシの使いかたを習得することが可能な歯磨き練習用の歯ブラシに関するものである。
【背景技術】
【０００２】  歯磨きの方法には、歯と歯茎の境目に約４５度の角度で歯ブラシを当てて毛先を歯周ポケット内に入りこませて細かく振動を与えるように磨く「バス法」，歯ブラシの毛先を歯の面に垂直に当てて６〜９ｍｍの幅で小刻みに動かして磨く「スクラッビング法」，毛先を歯の面に約９０度で当てて連続して円を描くように磨く「フォーンズ法」などがある。何れの磨き方をするにしても毛先で「細かく小刻みに」歯ブラシを動かすことが確実なプラーク（歯の汚れなど）除去のためには重要である。【０００３】  しかし、実際に毛先で「細かく小刻みに」磨く方法を正確に行っている人は非常に少なく、乱暴で雑な往復運動による磨き方をする人が殆どである。このような雑な歯磨きを行うと歯の清掃効率が低下して齲蝕になってしまうばかりではなく、歯磨きすることによって歯肉などの組織を傷つけてしまうような問題があり、さらには歯周病になる可能性が高くなってしまうのである。そこで、多くの人に正しい歯磨きを習得してもらうために、従来から歯科医院では歯磨き方法の指導が根気よく行われている。ところが、歯科医師や歯科衛生士が正しい歯磨き方法を説明し実際に歯ブラシを動かしても、毛先で「細かく小刻みに」磨く歯磨き方法は伝え難いので、歯磨き指導の直後には一見理解できたように見えても実際に指導を受けた人が家庭で数日間歯磨きを行うと、また元の乱暴な磨き方に戻ってしまう場合が殆どであった。【０００４】  一方、従来から正しい歯磨きの方法を習得するための歯ブラシは幾つか提案されている（例えば、特許文献１〜５参照。）。しかし、何れもブラッシングの圧力を制御して正しいブラッシング圧を習得するための歯ブラシであって、毛先で「細かく小刻みに」磨く方法を習得することはできない歯ブラシであった。そのため、患者や歯ブラシの使用が適切でない人々が毛先で「細かく小刻みに」磨く方法を習得するための歯磨き練習用の歯ブラシが望まれていた。【０００５】
【特許文献１】実開平５−７５７７７号公報
【特許文献２】実開平５−９０５２６号公報
【特許文献３】実開平５−９０５２７号公報
【特許文献４】実開平６−１９５６１号公報
【特許文献５】実用登録新案第３０３２０６０号公報
【発明の開示】
【発明が解決しようとする課題】
【０００６】  従って、本発明は正確に毛先で「細かく小刻みに」磨く歯磨き方法について歯科医師や歯科衛生士などの歯科医療スタッフが患者や歯ブラシの使用が適切でない人々を正確且つ確実に指導でき、さらに、家庭や学校，職場などで各人が一人でも正しい歯磨きの練習が可能な歯磨き練習用歯ブラシの提供を課題とする。
【課題を解決するための手段】
【０００７】  本発明者は、前記課題を解決するために鋭意検討をした結果、所定部材で囲繞されることにより形成され所定長さを有するようにされている空間と、この空間の長手方向の両端部にそれぞれ配置された永久磁石部材と、この空間内で前記長手方向に移動自在にして収納されている少なくとも構成部材の一部に永久磁石が前記永久磁石部材の磁力とは常に互いに反発するようにして配備されている移動体から成る振り子装置を歯ブラシ柄部の長軸と略平行な方向に所定の長さで穿設されている空隙内に一体にして装着されていたり繋止部材を用いて歯ブラシ柄部に装着すればよいことを見いだしたのである。即ち、この振り子装置付きの歯ブラシを使用することにより歯ブラシを雑に振る歯磨きを行うと移動体が両端の永久磁石に接触して「カチカチ」などの音が発生するのでその音がしないように歯磨きすれば毛先で「細かく小刻みに」磨くような歯磨き方法が習得でき、また、前記所定部材の外周に電線が巻き付けられてコイルを成し、移動体の前後動（滑動）によりコイルに生じた誘導電圧が表示装置に伝えられ、表示装置は伝えられた電圧の大きさを表示する表示部を配備することにより移動体の適正な移動早さや移動幅（距離）が目視にて確認できることを見いだしたのである。【０００８】  即ち、本発明は、所定部材で囲繞されることにより形成され所定長さを有するようにされている空間と、この空間の長手方向の両端部にそれぞれ配置された永久磁石部材と、この空間内で前記長手方向に移動自在にして収納されている少なくとも構成部材の一部に永久磁石が前記永久磁石部材の磁力とは常に互いに反発するようにして配備されている移動体から成る振り子装置が、歯ブラシ柄部の長軸と略平行な方向に所定の長さで穿設されている空隙内に一体にして装着されるか、または、繋止部材を用いて歯ブラシ柄部に装着されることを特徴とする歯磨き練習用歯ブラシとすれば前記の課題を解決できることを見いだしたのである。【０００９】  更に、所定部材が無色または有色の透明な素材で形成されている歯ブラシ柄部であって、振り子装置の空間が歯ブラシ柄部と蓋体とにより形成されている振り子装置であったり、振り子装置が歯ブラシ柄部の長軸と略平行な方向に所定の長さで穿設されている空隙内に嵌入されることにより歯ブラシ柄部と一体にして装着され且つ着脱自在にされていたり、繋止部材が環状のゴムバンドおよび／またはクリップ状の挟持具であってこの繋止部材を用いることで振り子装置が歯ブラシ柄部に着脱自在にされていたり、振り子装置の空間内においてその長軸方向に略平行なガイド軸が備えられていて、移動体にはこのガイド軸を貫通させるための通し孔が穿設されている振り子装置とされている歯磨き練習用歯ブラシとして構成されていればより好ましいことも見いだしたのである。
【発明の効果】
【００１０】  本発明に係る歯磨き練習用歯ブラシは、正確に毛先で「細かく小刻みに」磨く歯磨き方法について歯科医や衛生士などの歯科医療スタッフが患者を正確且つ確実に指導でき、更に、家庭において一人でも正しい歯磨きの練習が可能な歯磨き練習用歯ブラシである。
【発明を実施するための最良の形態】
【００１１】  以下、図面により本発明に係る歯磨き練習用歯ブラシについて詳細に説明する。
図１は、本発明に係る歯磨き練習用歯ブラシの１形態を示す実施例のその内部を一部分見せている斜視説明図である。図２は、図１に示した振り子装置とは別の振り子装置の実施例を示す斜視説明図である。図３は、本発明に係る歯磨き練習用歯ブラシの更に別の形態の実施例を示す斜視説明図である。図４は、振り子装置にコイルが配備されていてこのコイルに結線されている表示装置を備える本発明に係る歯磨き練習用歯ブラシの１形態を示す斜視説明図である。【００１２】  図面中、１は周囲を囲繞することにより空間１ａを形成するための所定部材であり、この所定部材１は３０〜９０ｍｍ程度の所定長さを有するようにされている。また、この空間１ａの長手方向の両端部１ｂ，１ｂには、それぞれ所定の磁力密度を有している永久磁石部材２，２が配置されている。この永久磁石部材２，２は、患者の練習の達成度合いに応じて磁力密度を強くしたり弱くしたりすることが可能である。【００１３】  この空間１ａの長手方向に、その内部を滑るようにして移動することで移動自在性が確保されている移動体３が収納されている。この移動体３の構成部材の少なくとも一部には、所定の磁力密度を有する永久磁石３ａが配備されている。そして、この永久磁石３ａと前記した永久磁石部材２，２の磁力とは常に互いに反発するようにして配備するのである。つまり、永久磁石３ａと永久磁石部材２とは常に磁性が同じとなるように構成されなければならない。従って、移動体３が空間１ａ内で反転してしまえるような空間１ａの大きさが設定されている場合には、永久磁石３ａと永久磁石部材２とが吸着してしまうので所期の目的が達成できないことは言うまでもない。しかして、移動体３が空間１ａ内で反転できないような構成にされていることが好ましい。また、移動体３は任意の樹脂材料を挟んで両側に永久磁石３ａが配備され、この樹脂材料が空間１ａの内壁に接する構成とすることにより、空間１ａとの摩擦が少ない状態にして滑動の自在性を確保するようにされていてもよい。【００１４】  振り子装置Ｆは、所定部材１により囲繞されることで形成されている空間１ａと、この空間１ａの両端に配備されている永久磁石部材２，２およびこの空間１ａ内に収納されている移動体３とで前述したようにして構成されているのである。【００１５】  振り子装置Ｆの歯ブラシへの装着方法としては、歯ブラシ柄部Ｈの長軸と略平行な方向に、前述した所定部材１の長さ（３０〜９０ｍｍ）に対応する長さで穿設されている空隙Ｈａ内に一体にして装着されるか、または、繋止部材４を用いて歯ブラシ柄部Ｈに装着されてもよい。この装着方法は歯ブラシと振り子装置Ｆとが一体として成るようにされていればよいのであるから、前述した装着方法に限定されないことは言うまでもない。【００１６】  また、空間１ａの形成手段としては、所定部材１が歯ブラシ柄Ｈであってその歯ブラシ柄部Ｈ内で何ら他の部材を使用することなく形成することも可能である。つまり、振り子装置Ｆを構成するための空間１ａが、歯ブラシの柄部Ｈ内部にこの歯ブラシ柄部Ｈの内壁を空間１ａの壁として直接用いるようにされていてもよい。この他、図２および図３に示したように歯ブラシ柄部Ｈとは別の部材で覆われていて��よい。この場合には別部材ごと歯ブラシ柄部Ｈ内に埋め込まれていてもよいし、図３のように嵌め込まれた状態で一部が歯ブラシ柄部Ｈの表面から露出した態様でもよい。図示しないが、歯ブラシ柄部Ｈとは別の部材の蓋と組み合わせた構成にされていてもよい。【００１７】  空間１ａの形状は、移動体３が空間１ａの長手方向での移動（滑動）を妨げなければ特に制限されないので、例えば、横断面が楕円や円の筒形や横断面が四角形や六角形などの角柱形を例示できるので要求されたデザインに応じて適宜使い分ければよい。この時、特に図１〜３に示したように最も簡単な構造である円筒形されていると、加工のし易さの点から好ましい。なお、この空間１ａの直径は５〜１２ｍｍ程度にされていると操作性やデザインの観点から好ましい。【００１８】  前述した永久磁石部材２，２について図１〜３を用いて具体的に説明する。これら永久磁石部材２，２は空間１ａの長手方向の両端部１ｂ，１ｂにそれぞれ配置されている。これらの永久磁石部材２，２の形状は両端部１ｂ，１ｂに位置させられればよいので特に制限されないが、図示したように空間の形状と一致していると発する磁力を最大限に活用できるので好ましい。前述したように、永久磁石部材２，２は空間１ａ内に収納され滑動する移動体３に必ず配備されている永久磁石３ａとは常に反発するようにされている必要があるため、空間１ａの長さ方向に磁極を向けていることが好ましいのである。【００１９】  具体的に説明すると、図１〜３の場合、空間１ａの両端部１ｂ，１ｂに永久磁石部材２，２がそれぞれ配置される。このときの磁極の向きは空間１ａの長さ方向であって、歯ブラシのブラシ側の永久磁石部材２および歯ブラシ柄部Ｈの先端側の永久磁石部材２はどちらもブラシ方向にＳ極を向け歯ブラシ柄部Ｈの先端方向にＮ極を向けて配置するのである。そして、移動体３そのもの総て（全体）が永久磁石３ａで構成されている場合には、空間１ａの長さ方向の両端部１ｂ，１ｂにそれぞれ配置された永久磁石部材２，２の磁力と常に反発するようにして収納するのである。つまり、図１〜３に示した場合においては、移動体３は円筒状の空間１の中にブラシの方向にＮ極，歯ブラシ柄部Ｈの先端方向にＳ極を向けて配置されている。このようにすることで、それぞれがＳ極同士そしてＮ極同士で向き合うことになる。以上述べた例は説明のための１例であり、前述した配置と完全に反対の配置にされていても効果は同じであるのでなんら問題ない。この他、磁力による反発力が確保されている構成であれば当然に本発明に係る技術思想に包含されていることは言うまでもない。【００２０】  前述のように、通常は、永久磁石３ａは図１および図３に示したように移動体３そのものであることが移動体３の構造が簡潔となり好ましいが、図２に示すように厚みの薄い永久磁石３ａで樹脂材料などの非磁性体材料３ｂを挟んで両側にくるようにされていたりこの非磁性材料３ｂ内に埋め込まれるようにして配備されていたりなど、移動体３の重量を軽減し滑動しやすくするなどの調整を行っても構わない。また、先に若干触れたが移動体３の重量だけでなく永久磁石３ａの磁力と前述の永久磁石部材２，２の磁力との磁力密度の強弱の組み合わせを変えることにより移動体３の動き易さが自由に制御できる。例えば、ブラッシングが未熟で歯ブラシの振り幅が大きな人用としては移動体３が動き難くい振り子装置Ｆとしたり、縦に使う場合専用歯ブラシとして例えば歯ブラシ柄部Ｈの先端側の永久磁石部材２の磁束密度のみをもう一方の永久磁石部材２よりも強く設定することなども考えられる。【００２１】  前述した空間１ａ内で移動体３（永久磁性体３ａ）が極の向きを変える動きを抑える手段について詳しく説明する。具体的には、図１および図２に示すように移動体３の断面形の少なくとも一部が空間１の断面形状と略一致していることが前提条件となるが、移動体３の長さが空間１ａの長軸に垂直な断面形状の最大幅より長ければ空間１ａ内での反転が阻止可能であるため、移動体３のデザイン形状の自由度は円柱状やカプセル状そして鉄アレイ状に形成するなどその自由度は高いものがある。図１および図２の場合には、円筒形の空間１ａに対して空間１ａの断面形状と略一致する形状（この場合は円形）を持ち、同時に、その長手方向の長さが空間１ａの長軸に垂直な断面形状の最大幅より長くされている円柱形の移動体３である。【００２２】  また、図３に示すように、空間１ａ内に歯ブラシ柄部Ｈの長軸に対して略平行に配置された金属棒，金属線，樹脂棒，樹脂線または糸などにより構成されるガイド軸１ｃと、このガイド軸１ｃが通される通し孔３ｂが穿設されている永久磁石３ａから成る移動体３とを組み合わせても良い。この場合には、球状にされている移動体３がガイド軸１ｃを中心とした回転以外には回転せずにガイド軸１ｃに添って空間１ａ内を空間１ａの長さ方向に移動するのである。【００２３】  本発明に係る歯磨き練習用歯ブラシの所定部材１で囲繞されることで形成されている空間１ａ永久磁石部材２，２および移動体３から成る振り子装置Ｆは、所定部材１を歯ブラシ柄部Ｈとは別の部材で構成すると当該歯ブラシから所望時に脱着自在にできるので好ましい。具体的には、歯ブラシとは別体にされている振り子装置Ｆをゴムバンドやクリップ状の挟持具（図示なし）などの繋止部材４により着脱自在にするのである。このようにすることにより、振り子装置Ｆは歯ブラシの形状や大きさに影響されなくなるので、現在市販されている歯ブラシの多くを本発明の歯磨き練習用歯ブラシとして使用することができるのである。加えて、歯ブラシのブラシ部が損耗して使用できなくなった場合でも振り子装置Ｆは外して残しておき歯ブラシのみの交換で済むから、振り子装置Ｆが再利用（繰り返し使用）できて経済的にも好ましいのである。【００２４】  振り子装置Ｆを脱着可能とする他の手段としては、例えば、図３に示したように振り子装置Ｆが歯ブラシ柄部Ｈの長軸と略平行な方向に所定の長さで穿設された空隙Ｈａを用いることも可能である。これは、振り子装置Ｆが空隙Ｈａ内に嵌入されることにより歯ブラシ柄部Ｈと一体にして装着され、且つ着脱自在が実現できるのである。この場合には、振り子装置Ｆを付けるための専用の歯ブラシとなるが、歯ブラシ柄部Ｈに振り子装置Ｆを一体化できて把持し易くなるので歯磨き時に邪魔にならないという利点がある。【００２５】  以上において説明した振り子装置Ｆの発��型として、移動体３に永久磁石３ａが配備されていて、この移動体３が特定の空間１ａ内を滑動するということに着目して、誘導電圧を利用するという構成も案出したのである。即ち、この誘導電圧を利用するためには所定部材１で囲繞されることにより形成され所定長さを有するようにされている空間１ａの外周に電線が巻き付けられてコイル５を成すようにしておくのである。しかして、移動体３が空間１ａ内において前後動（滑動）することによりコイル５に生じた誘導電圧が電線５ａを通じて表示装置６に伝えられる。【００２６】  そして、表示装置６には伝えられた電圧の大きさ表示するための表示部６ａを備えているようにして歯ブラシの動きが電気的に表示されるようなシステム構成がなされている。この表示部６ａは、図示はしないが、誘導電圧の大きさを数値表示したり、人気アニメのキャラクターの動きとして表したりすることできる。図４に示した例は、表示部６ａがＬＥＤで構成されていて、歯ブラシの微細で素早い動きに比例（発生する誘導電圧が高くなる）して発光部分が増えるようにされたものである。また、図４に示した例のようにスピーカー６ｂを用いて歯ブラシの微細で素早い動きに比例した音量または音程で電子音が鳴るようにしてもよい。【００２７】  この他、図示はしないが、コイル５と表示装置６とを電線５ａで直接な結線をしないで用いることが可能である。この場合にはコイル５の動き（誘導電圧の変化）が電波で表示装置６に伝えられるようにすることもできる。現在市販されているオーディオなどに多用されているワイヤレスシステムと同等レベルの技術にて簡単に実現できる。このようなワイヤレスシステムにしておけば歯ブラシの使用者と表示装置６との位置関係が電線５ａの長さで制約されないので好ましい。【００２８】  コイル５が配備されている振り子装置Ｆの歯ブラシ柄部Ｈへの装着方法は、前述したコイル５が配備されていない振り子装置Ｆと全く同じにして用いることができる。つまり、歯ブラシ柄部Ｈの長軸と略平行な方向に所定の長さで穿設されている空隙Ｈａ内に一体にして装着されるか、または繋止部材４を用いて歯ブラシ柄部Ｈに装着されるのである。【００２９】  ところで、本発明に係る歯磨き練習用歯ブラシは、歯ブラシ柄部Ｈを透明な素材を用いて形成しておくと振り子装置Ｆの空間１ａ内に収納されている移動体３の動きが目視できるので歯磨き時におもしろさが加わることになる。特に幼児が歯磨き練習を行う際には歯磨き練習を持続できるという効果が加わるので好ましい。さらには、移動体３に人気アニメのキャラクターなどを図示したり移動体３がキャラクターの形状を模して成形されたりしていると、より大きな効果を期待できるので好ましい。【００３０】  また、本発明に係る歯磨き練習用歯ブラシは、前述した幼児ばかりでなく障害者用の歯磨き練習用として使用することが可能である。音が出る歯ブラシは視覚に障害を持つ人々に有用であり、表示装置を利用する歯ブラシは聴覚に障害を持つ人々に有用である。【００３１】  移動体３を目視するためには、歯ブラシ柄部Ｈや振り子装置Ｆの空間１ａを形成する外壁をポリ（アクリロニトリル）などのスチレン系ポリマー、ポリ塩化ビニルおよびポリ塩化ビニリ��ンなどのビニル系ポリマー、ポリエチレンテレフタレートなどの不飽和ポリエステル樹脂、ポリカーボネート，ポリエーテルスルホン等の透明な材料を用いる。なお、図１の場合は歯ブラシ柄部Ｈと振り子装置Ｆの空間１ａを形成する所定部材１が共に透明であり、図２および図３の場合は、少なくとも振り子装置Ｆの空間１ａを形成する所定部材１が透明な材料で構成されている。【００３２】  本発明に係る歯磨き練習用歯ブラシの使用方法は、通常の歯ブラシと同様に、好ましくはペンを持つように把持して歯ブラシを小刻みに振る。歯ブラシの振り幅が大き過ぎるときには、移動体３（永久磁石３ａ）が空間１ａの両端部１ｂ，１ｂに位置させられている永久磁石部材２，２に突き当たりカチカチと音をたてて警告を発することになる。そして、歯ブラシが理想的な振り幅・リズムで用いられているときには、磁石同士の反発力が寄与しているので永久磁石部材２，２の間で静かに振り子運動をすることになる。誘導電圧を利用する場合にも同様であることは言うまでもない。【００３３】  このように本発明に係る歯磨き練習用歯ブラシは、永久磁石部材２と移動体３（永久磁石３ａ）とが突き当たらないように気を付けながら歯磨きを行うことにより、現在のところ最善（最もプラークが落ちる）とされているブラシの毛先で「細かく小刻みに」磨く歯磨き方法を習得できることになる。従って、本発明に係る歯磨き練習用歯ブラシを用いれば歯科医師や歯科衛生士などの歯科医療スタッフは、患者や歯ブラシの使用が適切でない人々に正確且つ確実に指導でき、さらに、家庭や学校，職場などで各人が一人でも正しい歯磨きの練習を行うことが可能な歯磨き練習用歯ブラシなのである。
【図面の簡単な説明】
【００３４】
【図１】本発明に係る歯磨き練習用歯ブラシの１態様を示す実施例の斜視説明図である。
【図２】図１に示した振り子装置とは別の振り子装置の実施例を示す斜視説明図である。
【図３】本発明に係る歯磨き練習用歯ブラシの更に別の態様を示す実施例の斜視説明図である。
【図４】本発明に係る歯磨き練習用歯ブラシの別の態様として、振り子装置にコイルが配備されていてこのコイルに結線されている表示装置を備えた実施例の斜視説明図である。
【符号の説明】
【００３５】  １    所定部材
１ａ  空間
１ｂ  端部
１ｃ  ガイド軸
２    永久磁石部材
３    移動体
３ａ  永久磁石
３ｂ  通し孔
３ｃ  非磁性体材料
４    繋止部材
５    コイル
５ａ  電線
６    表示装置
６ａ  表示部
６ｂ  スピーカー
Ｈ    歯ブラシ柄部
Ｈａ  空隙
Ｆ    振り子装置
【図１】
2005040618.tif 000003
【図２】
2005040618.tif 000004
【図３】
2005040618.tif 000005
【図４】
2005040618.tif 000006